【手続補正書】
【提出日】平成19年10月11日(2007.10.11)
【手続補正１】
【補正対象書類名】明細書
【補正対象項目名】特許請求の範囲
【補正方法】変更
【補正の内容】
【特許請求の範囲】
【請求項１】  熱可塑性ポリマーを含む組成物であって、直径が１．５０から１．５４インチ（約３．８１から３．９１ｃｍ）である球を形成したとき、その球を１２５フィート／秒（約３８．１ｍ／秒）の初期速度で、初期速度を測定する点から３フィート（約０．９１ｍ）の位置にあるスチール板に向かって発射し、板からのはね返りの速度を初期速度で割ることによって測定する、少なくとも０．７８５の反発係数と、１００以下のＡｔｔｉ圧縮を有することを特徴とする組成物。
【請求項２】  本質的に、（ａ）Ｅはエチレンであり、ＸはＣ3からＣ8のα，β−エチレン性不飽和カルボン酸であり、Ｙは軟化コモノマーである、Ｅ／Ｘ／ＹコポリマーまたはＥ／Ｘ／Ｙコポリマーのイオノマー（ここで、ＸはＥ／Ｘ／Ｙコポリマーの約３〜３０質量％であり、ＹはＥ／Ｘ／Ｙコポリマーの０から約３０質量％である）、および（ｂ）３６個未満の炭素原子を有する１種または複数種の脂肪族一官能性有機酸またはその塩からなる溶融加工が可能な熱可塑性組成物であって、（ａ）および（ｂ）の酸全体の９０％より多くが中和されていることを特徴とする組成物。
【請求項３】  高度に中和した溶融加工可能なイオノマーを製造する方法であって、
（ａ）エチレンα，β−エチレン性不飽和カルボン酸コポリマーまたは溶融加工可能なそのイオノマーを有機酸または有機酸の塩と溶融ブレンドするステップと、
（ｂ）酸コポリマーまたはそのイオノマーおよび有機酸またはその塩の酸部分全体の９０％より多くを中和するのに十分なカチオン源を同時にまたは続いて加えるステップとを含むことを特徴とする方法。
【請求項４】  高度に中和した溶融加工可能なイオノマーを製造する方法であって、
（ａ）（１）酸コポリマーのエチレンの結晶性を壊してあるエチレンα，β−エチレン性不飽和カルボン酸コポリマーまたは溶融加工可能なそのイオノマー、および（２）エチレンα，β−エチレン性不飽和カルボン酸コポリマーまたは溶融加工可能なそのイオノマーの残留するエチレンの結晶性を実質的または完全に除去するために十分な不揮発性、非移行性薬品を溶融ブレンドするステップと、
（ｂ）酸コポリマーまたはそのイオノマーと、不揮発性、非移行性薬品が酸部分を含有する場合は、その不揮発性、非移行性薬品の酸部分との酸部分全体の９０％より多くを中和するために十分なカチオン源を同時にまたは続いて加えるステップとを含むことを特徴とする方法。
【請求項５】  請求項１に記載の組成物を含むことを特徴とするゴルフボールのカバー。
【請求項６】  請求項１に記載の組成物を含むことを特徴とするツーピースゴルフボールの芯。
【請求項７】  請求項１に記載の組成物を含むことを特徴とするスリーピースゴルフボールの中心部。
【請求項８】  請求項１に記載の組成物を含むことを特徴とする多層ゴルフボールの芯。
【請求項９】  請求項１に記載の組成物を含むことを特徴とする多層ゴルフボールの外被。
【請求項１０】  請求項１に記載の組成物を含むことを特徴とするワンピースゴルフボール。
【手続補正２】
【補正対象書類名】明細書
【補正対象項目名】００７１
【補正方法】変更
【補正の内容】
【００７１】
この結果は、ＣＯＲ値が０．７８５より有意に高く、Ａｔｔｉ圧縮が１００より低い値を示している。これらの樹脂は、酸化亜鉛等の高密度の充填剤を充填し、イー・アイ・デュポン・ドゥ・ヌムール・アンド・カンパニーからＨｙｔｒｅｌ（登録商標）の商品名で入手できるもの等のポリエーテルエステルで軟化して熱可塑性のゴルフボールの部品とすることができる。
以下に、本発明の好ましい態様を示す。
［１］  熱可塑性ポリマーを含む組成物であって、直径が１．５０から１．５４インチ（約３．８１から３．９１ｃｍ）である球を形成したとき、その球を１２５フィート／秒（約３８．１ｍ／秒）の初期速度で、初期速度を測定する点から３フィート（約０．９１ｍ）の位置にあるスチール板に向かって発射し、板からのはね返りの速度を初期速度で割ることによって測定する、少なくとも０．７８５の反発係数と、１００以下のＡｔｔｉ圧縮を有することを特徴とする組成物。
［２］  ＣＯＲが少なくとも０．８００であることを特徴とする［１］に記載の組成物。
［３］  ＣＯＲが少なくとも０．８１０であることを特徴とする［２］に記載の組成物。
［４］  本質的に、（ａ）Ｅはエチレンであり、ＸはＣ3からＣ8のα，β−エチレン性不飽和カルボン酸であり、Ｙは軟化コモノマーである、Ｅ／Ｘ／ＹコポリマーまたはＥ／Ｘ／Ｙコポリマーのイオノマー（ここで、ＸはＥ／Ｘ／Ｙコポリマーの約３〜３０質量％であり、ＹはＥ／Ｘ／Ｙコポリマーの０から約３０質量％である）、および（ｂ）３６個未満の炭素原子を有する１種または複数種の脂肪族一官能性有機酸またはその塩からなる溶融加工が可能な熱可塑性組成物であって、（ａ）および（ｂ）の酸全体の９０％より多くが中和されていることを特徴とする組成物。
［５］  有機酸またはその塩が、不揮発性、非移行性であり、イオン配列を効果的に可塑化し、および／または、Ｅ／Ｘ／Ｙコポリマーまたはイオノマーの結晶性を抑制するものであることを特徴とする［４］に記載の組成物。
［６］  ＸがＥ／Ｘ／Ｙコポリマーの約４〜２５質量％であり、ＹがＥ／Ｘ／Ｙコポリマーの約３〜２５質量％であることを特徴とする［５］に記載の組成物。
［７］  ＸがＥ／Ｘ／Ｙコポリマーの約５〜２０質量％であり、ＹがＥ／Ｘ／Ｙコポリマーの約１０〜２３質量％であることを特徴とする［６］に記載の組成物。
［８］  Ｘが１８質量％より多く存在するメタクリル酸または１５質量％より多く存在するアクリル酸であり、Ｙが存在しないことを特徴とする［５］に記載の組成物。
［９］  有機酸が実質的にまたは完全にエチレンの結晶性を抑制するように選択されることを特徴とする［６］、［７］、または［８］に記載の組成物。
［１０］  （ａ）および（ｂ）中の酸の約１００％が中和されていることを特徴とする［４］に記載の組成物。
［１１］  （ａ）および（ｂ）中の酸の１００％を中和するために必要な量より多い量のカチオン源を（ａ）および（ｂ）中の酸を中和するために使用することを特徴とする［１０］に記載の組成物。
［１２］  有機酸が１種または複数種のＣ6からＣ26の有機酸であることを特徴とする［４］に記載の組成物。
［１３］  有機酸が１種または複数種のＣ6からＣ18の有機酸であることを特徴とする［１２］に記載の組成物。
［１４］  有機酸が１種または複数種のＣ6からＣ12の有機酸であることを特徴とする［１３］に記載の組成物。
［１５］  熱可塑性ポリマーが、直径が１．５０から１．５４インチ（約３．８１から３．９１ｃｍ）である球を形成したとき、その球を１２５フィート／秒（約３８．１ｍ／秒）の初期速度で、初期速度および板からのはね返り速度を測定する点から３フィート（約０．９１ｍ）の位置にあるスチール板に向かって発射し、はね返りの速度を初期速度で割ることによって測定する、少なくとも０．７８５の反発係数と、１００以下のＡｔｔｉ圧縮を有することを特徴とする［４］に記載の組成物。
［１６］  高度に中和した溶融加工可能なイオノマーを製造する方法であって、
（ａ）エチレンα，β−エチレン性不飽和カルボン酸コポリマーまたは溶融加工可能なそのイオノマーを有機酸または有機酸の塩と溶融ブレンドするステップと、
（ｂ）酸コポリマーまたはそのイオノマーおよび有機酸またはその塩の酸部分全体の９０％より多くを中和するのに十分なカチオン源を同時にまたは続いて加えるステップとを含むことを特徴とする方法。
［１７］  酸部分の約１００％を中和するために十分なカチオン源を加えることを特徴とする［１６］に記載の方法。
［１８］  カチオン源の量が、酸コポリマーまたはそのイオノマーおよび有機酸またはその塩の酸部分全体を中和するために必要な量より多いことを特徴とする［１７］に記載の方法。
［１９］  高度に中和した溶融加工可能なイオノマーを製造する方法であって、
（ａ）（１）酸コポリマーのエチレンの結晶性を壊してあるエチレンα，β−エチレン性不飽和カルボン酸コポリマーまたは溶融加工可能なそのイオノマー、および（２）エチレンα，β−エチレン性不飽和カルボン酸コポリマーまたは溶融加工可能なそのイオノマーの残留するエチレンの結晶性を実質的または完全に除去するために十分な不揮発性、非移行性薬品を溶融ブレンドするステップと、
（ｂ）酸コポリマーまたはそのイオノマーと、不揮発性、非移行性薬品が酸部分を含有する場合は、その不揮発性、非移行性薬品の酸部分との酸部分全体の９０％より多くを中和するために十分なカチオン源を同時にまたは続いて加えるステップとを含むことを特徴とする方法。
［２０］  エチレンα，β−エチレン性不飽和カルボン酸コポリマーまたは溶融加工可能なそのイオノマーが、Ｅ／Ｘ／ＹコポリマーまたはＥ／Ｘ／Ｙコポリマーのイオノマー（ただし、Ｅはエチレンであり、ＸはＣ3からＣ8のα，β−エチレン性不飽和カルボン酸であり、Ｙは軟化コモノマーであり、また、ＸはＥ／Ｘ／Ｙコポリマーの約４〜２５質量％であり、ＹはＥ／Ｘ／Ｙコポリマーの約３〜２５質量％である）であり、不揮発性、非移行性薬品が３６個未満の炭素原子を有する１種または複数種の脂肪族一官能性有機酸、またはその塩であることを特徴とする［１９］に記載の方法。
［２１］  酸部分の約１００％を中和することを特徴とする［２０］に記載の方法。
［２２］  カチオン源の量が、酸部分全体を中和するために必要な量より多いことを特徴とする［２１］に記載の方法。
［２３］  ［１］、［２］、または［３］に記載の組成物を含むことを特徴とするゴルフボールのカバー。
［２４］  ［１］、［２］、または［３］に記載の組成物を含むことを特徴とするツーピースゴルフボールの芯。
［２５］  ［１］、［２］、または［３］に記載の組成物を含むことを特徴とするスリーピースゴルフボールの中心部。
「２６」  ［１］、［２］、または［３］に記載の組成物を含むことを特徴とする多層ゴルフボールの芯または外被。
「２７」  ［１］、［２］、または［３］に記載の組成物を含むことを特徴とするワンピースゴルフボール。